(57)【要約】【課題】仕上げ工程を容易にしてコストの低減化や工期の短縮化を可能にした、タンクの施工方法を提供する。【解決手段】基礎版５を形成する工程と、基礎版５上に筒状の外槽４を有するタンク本体を形成する工程と、を備える。基礎版５を形成する工程では、基礎版５上に形成する外槽４の内側となる位置の基礎版５上面に一端側が開口し、基礎版５の外周面５ａ側に他端側が開口するドレン管１０を埋設するとともに、ドレン管１０の他端側が位置する部位を基礎版５の外周面５ａより窪んだ状態に形成して、この窪んだ部位（窪み部１１）内にドレン管１０の他端側の開口１０ｂを配置する。基礎版５を形成する工程の後に、基礎版５の外周面５ａの窪んだ部位（窪み部１１）を埋めてドレン管１０の他端側を覆い隠す工程を有する。【選択図】図２
2015040380.tif 000002
【特許請求の範囲】
【請求項１】
基礎を形成する工程と、前記基礎上に筒状の槽を有するタンク本体を形成する工程と、を備え、
前記基礎を形成する工程では、前記基礎上に形成する槽の内側となる位置の基礎上面に一端側が開口し、前記基礎の外周面側に他端側が開口するドレン管を埋設するとともに、該ドレン管の他端側が位置する部位を前記基礎の外周面より窪んだ状態に形成して、この窪んだ部位内に前記ドレン管の他端側の開口を配置するようにし、
前記基礎を形成する工程の後に、前記基礎の外周面の窪んだ部位を埋めて前記ドレン管の他端側を覆い隠す工程を有することを特徴とするタンクの施工方法。
【請求項２】
前記ドレン管の他端側に継配管を着脱可能に接続する工程を有し、この継配管を接続する工程では、前記継配管の前記ドレン管と反対の側が前記基礎の外周面より突出するようにして配置し、
前記基礎の外周面の窪んだ部位を埋める工程は、前記ドレン管の他端側から前記継配管を外した後に行うことを特徴とする請求項１記載のタンクの施工方法。
【請求項３】
前記継配管を、前記ドレン管に対して螺子部を有する継ぎ手を介して接続することを特徴とする請求項２記載のタンクの施工方法。
【発明の詳細な説明】
【技術分野】
【０００１】
本発明は、タンクの施工方法に関する。
【背景技術】
【０００２】
従来、例えばＬＮＧ（Liquefied Natural Gas）等の低温の液化ガスを貯留する低温タンクとして、液化ガスを貯留する金属製の内槽と、この内槽を囲う金属製または内面に鋼板を取り付けたコンクリート製の外槽とを備える二重殻タンクが用いられている。
このようなタンクを施工する場合、外槽内に溜まる雨水などを外槽の外に排出するため、通常は基礎を形成する際にドレン管を埋設しておく。
【０００３】
ドレン管としては、目的は異なるものの、例えば特許文献１の第５図に示されるようなＬ字状に形成されたものが知られている。この特許文献１のドレン管は、貯蔵液体が多量漏出した際にこれを回収できるように、一端側が外槽内の底部に開口し、他端側が底部基礎の外周面より外側に延びて形成配置されている。
【０００４】
一方、前記した雨水などを排出するためドレン管も、Ｌ字状に形成されており、一端側が基礎上面に開口し、他端側が基礎の外周面から突出し、これによって他端側の開口が基礎の外周面より外側に配置される。
【０００５】
そして、前記タンクの施工において、タンクの外槽に屋根を取り付け、外槽内の雨水等の排水が不要になったら、基礎の外周面の、ドレン管の他端側が位置する部位を削り取り、ドレン管の他端側を充分に露出させる。続いて、基礎を削り取った部位にてドレン管の他端側を切断する。その後、削り取った部位にモルタル等を充填することにより、ドレン管の他端側を基礎内に埋め戻し、基礎の外周面上に露出しないように覆い隠す。このようにして基礎の外周面仕上げを行うことにより、基礎の外周面の見映えを良くし、景観を損なわないようにしている。
【先行技術文献】
【特許文献】
【０００６】
【特許文献１】特公昭６１−３１３５９号公報
【発明の概要】
【発明が解決しようとする課題】
【０００７】
しかしながら、ドレン管の他端側を基礎内に埋め戻す仕上げ工程では、基礎の外周面側を削り取る処理、ドレン管を切断する処理、モルタル等を充填する処理をそれぞれ行うため、特に基礎の外周面側を削り取る処理やドレン管を切断する処理に手間がかかることによって仕上げ工程が煩雑になってしまう。したがって、従来では仕上げ工程に要する時間が長くなり、これがコストの低減化や工期の短縮化を損なう一因になっている。
【０００８】
本発明は前記事情に鑑みてなされたもので、その目的とするところは、仕上げ工程を容易にしてコストの低減化や工期の短縮化を可能にした、タンクの施工方法を提供することにある。
【課題を解決するための手段】
【０００９】
本発明のタンクの施工方法は、基礎を形成する工程と、前記基礎上に筒状の槽を有するタンク本体を形成する工程と、を備え、前記基礎を形成する工程では、前記基礎上に形成する槽の内側となる位置の基礎上面に一端側が開口し、前記基礎の外周面側に他端側が開口するドレン管を埋設するとともに、該ドレン管の他端側が位置する部位を前記基礎の外周面より窪んだ状態に形成して、この窪んだ部位内に前記ドレン管の他端側の開口を配置するようにし、前記基礎を形成する工程の後に、前記基礎の外周面の窪んだ部位を埋めて前記ドレン管の他端側を覆い隠す工程を有することを特徴とする。
【００１０】
また、前記タンクの施工方法においては、前記ドレン管の他端側に継配管を着脱可能に接続する工程を有し、この継配管を接続する工程では、前記継配管の前記ドレン管と反対の側が前記基礎の外周面より突出するようにして配置し、前記基礎の外周面の窪んだ部位を埋める工程は、前記ドレン管の他端側から前記継配管を外した後に行うことが好ましい。
【００１１】
また、前記タンクの施工方法においては、前記継配管を、前記ドレン管に対して螺子部を有する継ぎ手を介して接続することが好ましい。
【発明の効果】
【００１２】
本発明のタンクの施工方法によれば、基礎を形成する工程ではドレン管の他端側が位置する部位を基礎の外周面より窪んだ状態に形成し、この窪んだ部位内にドレン管の他端側の開口を配置するので、基礎を形成する工程の後の、基礎の外周面を仕上げる工程では、従来のように基礎の外周面側を削り取る処理とドレン管を切断する処理とを行うことなく、単に基礎の外周面の窪んだ部位をモルタルなどで埋めるだけでドレン管の他端側を覆い隠し、基礎外周面の仕上げを行うことができる。したがって、従来に比べて仕上げ工程を容易にし、コストの低減化や工期の短縮化を可能にすることができる。
【図面の簡単な説明】
【００１３】
【図１】本発明の施工方法によって得られるタンクの一例の概略構成を示す側断面図である。
【図２】（ａ）は図１のＡ部を拡大した断面図、（ｂ）、（ｃ）は本発明の施工方法を説明するための図１のＡ部に係る拡大図である。
【発明を実施するための形態】
【００１４】
以下、図面を参照して本発明のタンクの施工方法を詳しく説明する。なお、以下の図面においては、各部材を認識可能な大きさとするため、各部材の縮尺を適宜変更している。
まず、本発明の施工方法によって得られるタンクの一例について、図１を参照して説明する。図１中符号１は、本発明に係るタンクとしての、地上式低温タンク（以下、低温タンクと記す。）である。
【００１５】
この低温タンク１は、グランド２上に設けられたもので、低温液化ガス（ＬＮＧ等）を貯蔵する金属製の内槽３と、この内槽３の周囲を覆う外槽４とを備えて構成された二重殻構造のものである。すなわち、グランド２上にコンクリート製の基礎版（基礎）５が据え付けられ、該基礎版５上に、円筒状の外槽（槽）４が設置されている。また、基礎版５上には槽底部６が形成され、この槽底部６上に円筒状の内槽３が設置されている。
【００１６】
内槽３は、鋼板等によって形成されたもので、保冷層７を介して外槽４内に設置されている。外槽４は、コンクリート製の外壁４ａとその内周面に貼設された鋼板からなる外槽本体４ｂとによって形成されている。なお、外槽４と内槽３とによって本発明に係るタンク本体が形成されている。
また、内槽３には内槽屋根８が設けられ、外槽４には外槽屋根９が設けられている。外槽屋根９は、保冷層７を介して内槽屋根８上に設置されている。
【００１７】
前記基礎版５にはドレン管１０が埋設されている。ドレン管１０は、その一端側が外槽４と内槽３との間、すなわち外槽４の内側にて、基礎版５の表面（上面）に開口している。また、このドレン管１０の他端側は、基礎版５の外周面５ａに向かって形成され、したがってドレン管１０は、側面視Ｌ字状に形成されている。なお、図１のＡ部を拡大した図２（ａ）に示すようにこのドレン管１０の他端側の開口１０ｂは、基礎版５の外周面５ａより内側に配置され、したがって外側に露出することなく隠れている。
【００１８】
また、このドレン管１０内には、モルタル等が充填され、したがって空間部を形成することなく閉塞させられている。これにより、ドレン管１０も実質的に基礎版５の一部として機能するようになっている。
ただし、ドレン管１０の本来の機能は、特に低温タンク１の施工初期から中期にかけて、すなわち外槽４および基礎版５を施工した後、外槽屋根９を例えばエアーレイジング法によって浮上させ、外槽４に取り付けるまでの間、外槽４内に溜まる雨水などを外槽４の外に排出することにある。
【００１９】
次に、前記構成の低温タンク１の施工方法の一実施形態について、特にドレン管１０に係る施工を中心に説明する。
まず、図２（ｂ）に示すように従来と同様にコンクリート製の基礎版５を形成し、さらにその上にコンクリート製の外壁４ａおよび鋼板製の外槽本体４ｂからなる外槽４を形成する。
【００２０】
その際、特に基礎版５を形成する工程では、この基礎版５中にドレン管１０を埋設するに際して、図２（ｂ）に示すように従来と同様にして基礎版５上に形成する外槽４の内側となる位置で、かつ、内槽（図示せず）の外側となる位置の、基礎版５の上面に一端側が開口するように埋設する。すなわち、ドレン管１０の一端側の開口１０ａを、基礎版５の上面に配置して該基礎版５上に露出するように配置する。
【００２１】
一方、このドレン管１０の他端側の開口１０ｂについては、従来と異なり、基礎版５の外周面５ａより内側に配置する。
また、基礎版５の形成についても、従来と異なり、ドレン管１０の他端側が位置する部位を、基礎版５の外周面５ａより窪んだ状態に形成する。すなわち、ドレン管１０の他端側を配置する部位に、例えば円錐台形状の窪み部１１を形成しておく。このような窪み部１１の形成は、コンクリートを打設するための型枠に窪み部１１と対応する充填物（図示せず）を設けておいたり、型枠の内面側に直接凸部を形成しておくことなどで行うことができる。
【００２２】
また、本実施形態では、埋設するドレン管１０として、ドレン管本体１２に対し、その他端側に継ぎ手管（継ぎ手）１３を取り付けたものを用いている。継ぎ手管１３は、その両端部に雌ねじ部（図示せず）が形成されたもので、一方の雌ねじ部がドレン管本体１２の他端側に形成された雄ねじ部（図示せず）に螺合させられたことにより、ドレン管本体１２に接続され、一体化されている。
【００２３】
したがって、本実施形態におけるドレン管１０の他端側の開口１０ｂは、継ぎ手管１３の他方の側の開口によって形成されており、この継ぎ手管１３の他方の側の開口（１０ｂ）は、窪み部１１内において露出させられている。
そして、本実施形態では、このようにしてドレン管１０を埋設した状態で基礎版５を形成した後、その継ぎ手管１３の他方の側に継配管１４を着脱可能に接続する。
【００２４】
継配管１４は、その一方の側に雄ねじ部（図示せず）を有し、この雄ねじ部が継ぎ手管１３の他方の雌ねじ部に螺合させられるようになっている。すなわち、継配管１４の雄ねじ部を継ぎ手管１３の他方の雌ねじ部に螺合することにより、ドレン管１０の他端側に継配管１４を着脱可能に接続する。
【００２５】
その際、継配管１４としては、ドレン管１０と反対の側、すなわち先端側が、基礎版５の外周面５ａより突出する長さのものを用いる。言い換えると、基礎版５を形成する工程では、予め用意された継配管１４がドレン管１０に接続された際に、その先端側が基礎版５の外周面５ａの外側に位置するように、ドレン管１０を埋設するとともに、窪み部１１を形成する。なお、このようなドレン管１０やこれに対応する窪み部１１は、基礎版５の外周部に、例えばその周方向に等間隔で８箇所設けられる。
【００２６】
このようにしてドレン管１０を埋設した状態で基礎版５を形成し、さらにドレン管１０の他端側に継配管１４を接続すると、施工途中に雨が降り、したがって外槽４内の基礎版５上に雨水が溜まっても、雨水をドレン管１０から基礎版５の外側に容易に排出することができる。すなわち、通常、基礎版５には中心部から外側に向かうに連れて高さが低くなるように所定の勾配を設けておく。
【００２７】
したがって、この勾配によって基礎版５上に溜まった雨水は基礎版５の外周側に流れ、外槽４に堰き止められることでドレン管１０の一端側の開口１０ａに流入し、ドレン管１０内および継配管１４を通ってその開口１４ａから排出される。その際、ドレン管本体１２に継ぎ手管１３を介して継配管１４を接続し、この継配管１４の先端側を基礎版５の外周面５ａの外側に位置させているので、排出する雨水は基礎版５の外周面５ａを伝わることなく直接基礎版５の外側に流れ出る。したがって、排出する雨水によって基礎版５の外周面５ａを汚してしまうおそれがなくなる。すなわち、排出する雨水には施工によって生じる種々の異物が混じっているため、このような異物が基礎版５の外周面５ａに付着すると、外周面５ａが汚れてしまうおそれがある。
【００２８】
また、外槽屋根９を外槽４に取り付けた後には、雨水が外槽４内に溜まることはなく、したがってドレン管１０は不要になる。そこで、基礎版５の外周面５ａの仕上げ工程として窪み部１１を埋めるべく、これに先だって図２（ｃ）に示すように継配管１４をドレン管１０の継ぎ手管１３から取り外す。継配管１４を継ぎ手管１３から取り外すことにより、ドレン管１０は外周面５ａから突出することなく元の窪み部１１内に引っ込んだ状態に戻る。
【００２９】
そして、窪み部１１にモルタル等を充填して窪み部１１を埋めることにより、図２（ａ）に示したようにドレン管１０の他端側が露出しないようにこれを覆い隠し、基礎版５の外周面５ａの仕上げを行う。また、ドレン管１０の一端側についても、従来と同様にして開口１０ａからモルタル等を流し込み、ドレン管１０内に充填した後、開口１０ａを覆い隠す。
以下、従来と同様にして順次施工を続け、図１に示した低温タンク１を施工する。
【００３０】
このようなタンクの施工方法にあっては、基礎版５を形成する工程ではドレン管１０の他端側が位置する部位を基礎版５の外周面５ａより窪んだ状態に形成し、この窪み部１１内にドレン管１０の他端側の開口１０ｂを配置するので、基礎版５を形成する工程の後の、基礎版５の外周面５ａを仕上げる工程では、従来のように基礎版５の外周面５ａ側を削り取る処理とドレン管を切断する処理とを行うことなく、単に基礎版５の外周面５ａの窪み部１１をモルタルなどで埋めるだけでドレン管１０の他端側を覆い隠し、基礎版５の外周面５ａの仕上げを行うことができる。したがって、従来に比べて仕上げ工程を容易にし、コストの低減化や工期の短縮化を可能にすることができる。
【００３１】
また、ドレン管１０の他端側に継配管１４を着脱可能に接続する工程を有し、この継配管１４を接続する工程では、継配管１４の先端側を基礎版５の外周面５ａより突出するようにして配置しているので、ドレン管１０によって排出する雨水を基礎版５の外周面５ａに伝わらせることなく直接基礎版５の外側に流し出すことができ、したがって排出する雨水によって基礎版５の外周面５ａを汚すおそれがなくなる。
また、ドレン管１０の他端側から継配管１４を外した後に窪み部１１を埋めるようにしているので、ドレン管１０を外周面５ａ内に容易に覆い隠すことができる。
【００３２】
また、継配管１４を、ドレン管本体１２に対して螺子部を有する継ぎ手１３を介して接続しているので、継配管１４の螺子部（雄ねじ部）と継ぎ手１３の螺子部（雌ねじ部）との螺合によって継配管１４をドレン管本体１２（ドレン管）に容易に接続することができるとともに、接続した状態から容易に取り外すことができる。
【００３３】
なお、本発明は前記実施形態に限定されることなく、本発明の主旨を逸脱しない範囲で種々の変更が可能である。
例えば、前記実施形態では予め継ぎ手管１３をドレン管本体１２に接続して、基礎版５に埋設するようにしたが、ドレン管本体１２を埋設した状態で基礎版５を形成した後、ドレン管本体１２に継ぎ手管１３を螺合によって接続してもよい。ただし、その場合には、図２（ｂ）に示した例より窪み部１１を深く形成しておき、該窪み部１１内にドレン管本体１２の他端側を十分に露出させておく必要がある。また、その場合に継ぎ手管１３に予め継配管１４を接続しておき、一体化しておいた継ぎ手管１３および継配管１４を、ドレン管本体１２に接続してもよい。
【００３４】
また、継ぎ手管１３としては、雌ねじ部（螺子部）を有したものでなく、単にドレン管本体１２の外径にほぼ一致する内径を有したもので、ドレン管本体１２に対して外挿し嵌合することにより、接続される構造であってもよい。
また、前記実施形態では、ドレン管１０を埋設した状態で基礎版５を形成した後、その継ぎ手管１３の他方の側に継配管１４を接続するようにしたが、基礎版５を形成する際に予めドレン管１０に継配管１４を接続しておき、その状態で基礎版５を形成するとともに、該基礎版５中にドレン管１０および継配管１４を埋設してもよい。
【００３５】
さらに、前記実施形態ではドレン管１０に継配管１４を接続するようにしたが、このような継配管１４を接続することなく、ドレン管１０のみで雨水等の排水を行うようにしてもよい。その場合には、継ぎ手管１３も不要になるため、ドレン管本体１２にみによってドレン管１０を構成することができる。
【００３６】
また、前記実施形態では、本発明のタンクの施工方法を地上式の低温タンクの施工に適用した場合について説明したが、本発明はこれ以外にも、例えば地下式の低温タンクの施工や、サイロなどのタンクの施工に適用することができる。
【符号の説明】
【００３７】
１  低温タンク
３  内槽
４  外槽（槽）
５  基礎版（基礎）
５ａ  外周面
１０  ドレン管
１０ａ  開口
１０ｂ  開口
１１  窪み部
１２  ドレン管本体
１３  継ぎ手管
１４  継配管
１４ａ  開口
【図１】
2015040380.tif 000003
【図２】
2015040380.tif 000004